(57)【要約】【課題】本発明は、簡単な構造で、１枚のカードが挿入されると他のカードの挿入を防止できるとともに、小型化もでき、基板の回路設計上も制限なく、高密度化にも支障がなく、筐体設計もし易く、カードの抜去もし易いカードコネクタ１０を提供せんとするものである。【解決手段】本目的は複数のメモリカード５０が着脱自在に挿抜されるカードコネクタ１０であって、複数のメモリカード５０の接続部と接触する複数のコンタクト１４と、複数のメモリカード５０が挿入される複数の挿入口２２を有するとともにコンタクト１４が配列・保持されるハウジング１２とを備えるカードコネクタ１０において、ハウジング１２の所定の位置に、複数の挿入口２２の一部を形成する所要数のスライダー２０とスライダー２０を移動可能に固定する所要数のホルダー１８とを配置し、スライダー２０により１種のメモリカード５０しか挿入できないようにすることにより達成できる。【選択図】  図１
2006120482.tif 000002
【特許請求の範囲】
【請求項１】
複数のメモリカードが着脱自在に挿抜されるカードコネクタであって、複数のメモリカードの接続部と接触する複数のコンタクトと、複数のメモリカードが挿入される複数の挿入口を有するとともに前記コンタクトが配列・保持されるハウジングとを備えるカードコネクタにおいて、
前記ハウジングの所定の位置に、複数の前記挿入口の一部を形成する所要数のスライダーと該スライダーを移動可能に固定する所要数のホルダーとを配置し、前記スライダーにより１種のメモリカードしか挿入できないようにすることを特徴とするカードコネクタ。
【請求項２】
複数のメモリカードが着脱自在に挿抜されるカードコネクタであって、複数のメモリカードの接続部と接触する複数のコンタクトと、複数のメモリカードが挿入される複数の挿入口を有するとともに前記コンタクトが配列・保持されるハウジングとを備えるカードコネクタにおいて、
前記ハウジングには上下及び左右に略並行に配置された４つの挿入口及び左右に配置された前記挿入口の中間下方に１つの挿入口とを設け、前記ハウジングの左右の前記挿入口のほぼ中間部に、５枚の前記挿入口の一部を形成する所要数のスライダーと該スライダーを移動可能に固定する１つのホルダーとを配置し、前記スライダーにより１種のメモリカードしか挿入できないようにすることを特徴とするカードコネクタ。
【請求項３】
凹部と凸部との組み合わせにより前記挿入口の一部を形成することを特徴とする請求項１又は２記載のカードコネクタ。
【請求項４】
４つの凹部により上下及び左右に配置された４つの前記挿入口の一部を形成し、１つの凸部により中間下方の前記挿入口の一部を形成することを特徴とする請求項２記載のカードコネクタ。
【請求項５】
前記スライダーに前記ホルダーが入る挿入孔を設け、前記ホルダーの先端部を交互に分割し、前記スライダーを移動可能に固定することを特徴とする請求項３又は４記載のカードコネクタ。
【請求項６】
前記スライダーに前記ホルダーが入る縦長の挿入孔を設け、前記ホルダーの先端部を交互に３分割し、前記スライダーを縦長（厚み）方向に移動可能に固定することを特徴とする請求項４記載のカードコネクタ。
【請求項７】
前記スライダーが移動することで、１つの前記挿入口にしか前記メモリカードが入らないように、前記凹部と前記凸部の組み合わせで前記挿入口の一部を形成することを特徴とする請求項１〜６項のうちいずれか１項記載のカードコネクタ。
【発明の詳細な説明】
【技術分野】
【０００１】
この発明は、プリンター、カードリーダーなどの各種電子・電気機器に使用される、複数種のメモリカードを挿入してメモリカードと信号入出力可能なカードコネクタに関するもので、特に１枚のメモリーカードしか同時に挿入できない構造に関するものである。
【背景技術】
【０００２】
近年、デジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、スマートメディア（登録商標）カード（以下単にＳＭカードという。）、コンパクトフラッシュ（登録商標）カード（以下単にＣＦカードという。）、ｘＤカード（登録商標）（以下単にｘＤカードという。）、マルチメディア（登録商標）カード（以下単にＭＭカード）等種々のものが用いられるようになった。これに伴い、これら種々のメモリカードへ書込み／読込みを行う装置として、メモリカードリーダライタが、コンピュータ本体内に、或は、外部機器として用いられている。
【０００３】
そして、メモリカードリーダライタは、当然のことながら、種々のメモリカードに対応しているのが好ましいので、従来のメモリカードリーダライタにおいては、リーダライタ本体にカードコネクタを配置し、種々のメモリカードを挿入可能とし、挿入されたメモリカードを読み書き可能にしていた。
【０００４】
上述したようにメモリカードには、ＳＤカード、ＭＳカード、ＳＭカード、ＣＦカード、ｘＤカード、ＭＭカード等種々が存在する。そして、メモリカードリーダライタは、これらメモリカードの全て或はこれらの幾つかに対応可能であった。具体的には、カードコネクタには、対応するメモリカードを挿入可能な挿入口が設けられている。ここでは、ＳＤカードとｘＤカードとＭＳカードの３種に対応したものを例に説明する。
【０００５】
例えば、ＳＤカードとｘＤカードとＭＳカードの３種に対応したカードコネクタには、各メモリカードが挿入された状態で、各挿入されたメモリカードの端子部と接続可能に、ハウジング内に複数のコンタクトが配列・保持されている。そして、メモリカードを挿入することで、メモリカードと読み書き可能に形成される。カードコネクタの挿入可能な挿入口としては、上の段の挿入口にはＳＤカードが挿入され、下の段の左側の挿入口にはＭＳカードが挿入され、上の段の右側の挿入口にはｘＤカードが挿入される構造に、各挿入口が設けられている。
【０００６】
このような構造のカードコネクタは、所望するメモリカード、例えばＣＦカードをＣＦ用挿入口に挿入してＣＦカードと情報の読み書きを行っている。
複数のメモリカードが挿入されるカードコネクタにおいては、各々のメモリカードをコントロールするＩＣを共有にしているが、同時に２枚以上のメモリカードが挿入されるとＩＣ上でエラーが発生することがあった。このエラーを回避する方法としては２つ考えられ、一つが各々のメモリカードをコントロールするＩＣを各カード専用にすることと、もう一つが同時に２枚以上のメモリカードが挿入できないようなコネクタ構造することの２つである。一つ目の案は、機器の小型化が進んでいる現在の過密な基板レイアウトや基板占有面積等を考慮すると、実現化が非常に難しく、かつ、コストアップに繋がってしまう。
そこで、２つ目の案として、複数のカード挿入口を有するカードコネクタであっても、１枚が挿入されると、他のカードの挿入を防止できる構造のカードコネクタとしては、特許文献１（特開２００３−２９７４８９）や本出願人が提案した特許文献２（特願２００４−１６１２９３）が開示されている。
【特許文献１】特開２００３−２９７４８９の要約によると、挿入可能な複数種のメモリカードのうち、１枚が挿入されることで、他のメモリカードの挿入を阻止できるメモリカード用コネクタの提供を目的として、複数のメモリカードを挿入可能なメモリカード用コネクタであって、挿入されるメモリカードに対応した形状に開口する挿入口を複数設けると共に挿入口内部には空間部を形成し、空間部には挿入されるメモリカードの電極と電気的に接続するコンタクトを設けるコネクタ本体と、挿入口外側に設けられ、挿入されるメモリカードに対応した形状に挿入口と対を成して開口すると共に挿入口相互の相対位置とはずらして開口するカード挿入口を設け、挿入口開口面に沿って移動可能なスライドカバーとから構成する、メモリカード用コネクタが開示されている。従って、空間部及びカード挿入口の一対の中心が一致したときには、他の空間部とこれに対向するカード挿入口との対の中心は一致しない構造のメモリカード用コネクタである。  ちなみに、特許請求の範囲には、複数のメモリカードが挿入可能なメモリカード用コネクタであって、筐体からなり、挿入されるメモリカードに対応した形状に開口する挿入口を複数設けると共に挿入口内部には空間部を形成し、空間部には挿入されるメモリカードの電極と電気的に接続するコンタクトを設け、挿入されるメモリカードと電気的に接続されるコネクタ本体と、コネクタ本体の挿入口外側に設けられ、挿入されるメモリカードに対応した形状にコネクタ本体の挿入口と対を成して開口するカード挿入口を設け、コネクタ本体の挿入口開口面に沿って移動可能なスライドカバーとからなり、一対のコネクタ本体の空間部とスライドカバーのカード挿入口との中心が一致したときに、他の対の空間部及び対向するカード挿入口の中心が一致しないことを特徴とするメモリカード用コネクタと記載されている。
【特許文献２】特願２００４−１６１２９３の要約によると、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供することを目的とし、複数のメモリカードの接続部と接触する所要数のコンタクトと、複数のメモリカードが挿入される複数の挿入口を有するとともにコンタクトが配列・保持されるハウジングとを備えるカードコネクタにおいて、ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、ロック部材とバネ部材により１種のメモリカードしか挿入できないようにする構造のカードコネクタである。  ちなみに、特許請求の範囲には、請求項１として、複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、前記ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、前記ロック部材と前記バネ部材により１種のメモリカードしか挿入できないようにしたことを特徴とするカードコネクタ、請求項２として、複数のメモリカードが着脱自在に挿抜されるカードコネクタであって、複数のメモリカードの接続部と接触する所要数のコンタクトと、複数のメモリカードが挿入される複数の挿入口を有するとともに前記コンタクトが配列・保持されるハウジングとを備えるカードコネクタにおいて、前記ハウジングには略並行に配置された２つの挿入口及び該挿入口の上方に１つの挿入口とを設け、２つの前記挿入口の中間部分にどちらか一方の挿入口にメモリカードが挿入された際に回動若しくは移動可能なロック部材を設け、上方の１つの前記挿入口の下方側に該挿入口にメモリカードが挿入された際に変位可能なバネ部材を設け、前記ロック部材と前記バネ部材により１種のメモリカードしか挿入できないようにしたことを特徴とするカードコネクタ、請求項３として、１種のメモリカードが前記ハウジングの挿入口に挿入された際に、前記ロック部材が回動若しくは移動し、挿入された挿入口と並行に配置された挿入口内に前記ロック部材が突出し、前記ロック部材により前記バネ部材が変位しないようにし、１種のメモリカードしか挿入できないようにしたことを特徴とする請求項１又は２記載のカードコネクタ、請求項４として、１種のメモリカードが前記ハウジングの挿入口に挿入された際に、前記バネ部材が変位し、変位した前記バネ部材の一部が他の挿入口内に突出し、１種のメモリカードしか挿入できないようにしたことを特徴とする請求項１又は２記載のカードコネクタ、請求項５として、前記挿入口のうち必要に応じて、他の挿入口と共通部分を有したことを特徴とする請求項１〜４項の���ちいずれか１項記載のカードコネクタが記載されている。
【発明の開示】
【発明が解決しようとする課題】
【０００７】
特許文献１の構造のカードコネクタでは、ハウジングの表面に別部品であるスライドカバーを取り付け、該スライドカバーを横方向にスライドさせ、前記ハウジングの１種のカード挿入口と前記スライドカバーの１種のカード挿入口との中心だけを一致させ、他の対のカード挿入口同士の中心は一致しない構造にすることで、２枚以上のメモリカードが挿入できない様にしている。
近年、より一層の機器の小型化の要求が強くなってきている中、コネクタの小型化の要求も強くなってきている現状で、特許文献１の構造ではスライドカバーを嵌合口の前面に配置しているので、コネクタの小型化にも逆行することになり、かつ、基板の回路設計上も制限（コネクタの基板への接続部を嵌合側に配置できない）することになり、複数のメモリカードを装着する場合の高密度化にも支障がでるといった問題点が発生した。
また、構造上、前記スライドカバーが前記ハウジング表面をスライドさせる必要があるため、筐体側から前記ハウジングを突出させる必要があるので、筐体設計が難しくなり、かつ、遮蔽効果が落ちることになるといった問題点もあった。
さらにまた、特許文献１のような構造では、ハウジング表面に別部品であるスライドカバーを取り付けため、コネクタからカードを抜去する際に、カードを持つ部分が減り、カードを抜去し難いといった問題点もあった。
【０００８】
本出願人が先に提案した特許文献２のような構造のカードコネクタでは、挿入するカードが多くなると、ロック部材及びバネ部材が多く必要になり、構造が複雑化してしまうことがあった。
【０００９】
本発明は、このような従来の問題点に鑑みてなされたもので、簡単な構造で、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供せんとするものである。
【課題を解決するための手段】
【００１０】
本目的は、複数のメモリカード５０が着脱自在に挿抜されるカードコネクタ１０であって、複数のメモリカード５０の接続部と接触する複数のコンタクト１４と、複数のメモリカード５０が挿入される複数の挿入口２２を有するとともに前記コンタクト１４が配列・保持されるハウジング１２とを備えるカードコネクタ１０において、前記ハウジング１２の所定の位置に、複数の前記挿入口２２の一部を形成する所要数のスライダー２０と該スライダー２０を移動可能に固定する所要数のホルダー１８とを配置し、前記スライダー２０により１種のメモリカード５０しか挿入できないようにすることにより達成できる。
【００１１】
５つの挿入口２２を有する場合には、上記目的は、複数のメモリカード５０が着脱自在に挿抜されるカードコネクタ１０であって、複数のメモリカード１０の接続部と接触する複数のコンタクト１４と、複数のメモリカード５０が挿入される複数の挿入口２２を有するとともに前記コンタクト１４が配列・保持されるハウジング１２とを備えるカードコネクタ１０において、前記ハウジング１２には上下及び左右に略並行に配置された４つの挿入口２２及び左右に配置された前記挿入口２２の中間下方に１つの挿入口２２とを設け、前記ハウジング１２の左右の前記挿入口２２のほぼ中間部に、５枚の前記挿入口２２の一部を形成する所要数のスライダー２０と該スライダー２０を移動可能に固定する１つのホルダー１８とを配置し、前記スライダー２０により１種のメモリカード５０しか挿入できないようにすることにより達成できる。
【００１２】
凹部３０と凸部３２との組み合わせにより前記挿入口２２の一部を形成する。
また、４つの凹部３０により上下及び左右に配置された４つの前記挿入口２２の一部を形成し、１つの凸部５０により中間下方の前記挿入口２２の一部を形成する。
さらに、前記スライダー２０に前記ホルダー１８が入る挿入孔２８を設け、前記ホルダー１８の先端部を交互に分割し、前記スライダー２０を移動可能に固定する。
【００１３】
前記スライダー２０に前記ホルダー１８が入る縦長の挿入孔２８を設け、前記ホルダー１８の先端部を交互に３分割し、前記スライダー２０を縦長（厚み）方向に移動可能に固定する。
また、前記スライダー２０が移動することで、１つの前記挿入口２２にしか前記メモリカード５０が入らないように、前記凹部３０と前記凸部３２の組み合わせで前記挿入口２２の一部を形成する。
【発明の効果】
【００１４】
以上の説明から明らかなように、本発明のカードコネクタ１０によると、次のような優れた顕著な効果が得られる。
（１）複数のメモリカード５０が着脱自在に挿抜されるカードコネクタ１０であって、複数のメモリカード５０の接続部と接触する複数のコンタクト１４と、複数のメモリカード５０が挿入される複数の挿入口２２を有するとともに前記コンタクト１４が配列・保持されるハウジング１２とを備えるカードコネクタ１０において、前記ハウジング１２の所定の位置に、複数の前記挿入口２２の一部を形成する所要数のスライダー２０と該スライダー２０を移動可能に固定する所要数のホルダー１８とを配置し、前記スライダー２０により１種のメモリカード５０しか挿入できないようにしているので、簡単な構造で、当然ながら１枚しかメモリカード５０を挿入できないためメモリカード５０をコントロールするＩＣにエラーが発生することなく、基板の回路設計上も制限なく設計できると同時に高密度化にも支障がなく、かつ、筐体設計もし易く、カード５０の抜去もし易いカードコネクタ１０を提供できる。
（２）複数のメモリカード５０が着脱自在に挿抜されるカードコネクタ１０であって、複数のメモリカード５０の接続部と接触する複数のコンタクト１４と、複数のメモリカード５０が挿入される複数の挿入口２２を有するとともに前記コンタクト１４が配列・保持されるハウジング１２とを備えるカードコネクタ１０において、前記ハウジング１２には上下及び左右に略並行に配置された４つの挿入口２２及び左右に配置された前記挿入口２２の中間下方に１つの挿入口２２とを設け、前記ハウジング１２の左右の前記挿入口２２のほぼ中間部に、５枚の前記挿入口２２の一部を形成する所要数のスライダー２０と該スライダー２０を移動可能に固定する１つのホルダー１８とを配置し、前記スライダー２０により１種のメモリカード５０しか挿入できないようにしているので、簡単な構造で、当然ながら１枚しかメモリカード５０を挿入できないためメモリカード５０をコントロールするＩＣにエラーが発生することなく、基板の回路設計上も制限なく設計できると同時に高密度化にも支障がなく、かつ、筐体設計もし易く、カード５０の抜去もし易いカードコネクタ１０を提供できる。
（３）凹部３０と凸部３２との組み合わせにより前記挿入口２２の一部を形成しているので、簡単な構造で当然ながら１枚しかメモリカード５０を挿入できないためメモリカード５０をコントロールするＩＣにエラーが発生することなく、基板の回路設計や筐体設計をすることができる。
（４）４つの凹部３２により上下及び左右に配置された４つの前記挿入口２２の一部を形成し、１つの凸部３２により中間下方の前記挿入口２２の一部を形成しているので、簡単な構造で当然ながら１枚しかメモリカード５０を挿入できないためメモリカード５０をコントロールするＩＣにエラーが発生することなく、基板の回路設計や筐体設計をすることができる。
（５）前記スライダー２０に前記ホルダー１８が入る挿入孔２８を設け、前記ホルダー１８の先端部を交互に分割し、前記スライダー２０を移動可能に固定しているので、容易に前記スライダー２０を前記ハウジング１２に移動可能に固定でき、当然ながら１枚しかメモリカード５０を挿入できないためメモリカード５０をコントロールするＩＣにエラーが発生することなく、基板の回路設計や筐体設計をすることができる。
（６）前記スライダー２０に前記ホルダー１８が入る縦長の挿入孔２８を設け、前記ホルダー１８の先端部を交互に３分割し、前記スライダー２０を縦長（厚み）方向に移動可能に固定しているので、容易に前記スライダー２０を前記ハウジング１２に移動可能に固定でき、当然ながら１枚しかメモリカード５０を挿入できないためメモリカード５０をコントロールするＩＣにエラーが発生することなく、基板の回路設計や筐体設計をすることができる。
（７）前記スライダー２０が移動することで、１つの前記挿入口２２にしか前記カードが入らないように、前記凹部３０と前記凸部３２の組み合わせで前記挿入口２２の一部を形成しているので、容易に前記スライダー２０を前記ハウジング１２に移動可能に固定でき、前記スライダー２０を移動するだけで当然ながら１枚しかメモリカード５０を挿入できないためメモリカード５０をコントロールするＩＣにエラーが発生することなく、基板の回路設計や筐体設計をすることができる。
【発明を実施するための最良の形態】
【００１５】
図１から図４に基づいて、本発明のカードコネクタの一実施例について説明する。図１は嵌合側上方よりみた本発明のカードコネクタの斜視図である。図２はスライダーとホルダーの斜視図である。図３は本発明のカードコネクタの正面図である。図４は各々の挿入口にメモリカードを挿入した場合のスライダーの状態を説明する図３のＡ部拡大図である。
一実施例の本発明のカードコネクタ１０は、主にハウジング１２と多種のコンタクト１４とスライダー２０とホルダー１８とを備えている。
【００１６】
まず、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１７】
前記ハウジング１２には複数種のメモリカード５０を挿入するための所要数の挿入口２２が設けられており、本実施例では５枚のメモリカード５０が挿入できる構造になっている。該挿入口２２は、それぞれのメモリカード５０に沿った形状及び大きさにしている。本実施例の挿入口２２に挿入されるメモリカード５０の種類について説明する。前記挿入口２２は、上下及び左右に略並行に配置された４つの挿入口２２１、２２３、２２４、２２５及び左右に配置された前記挿入口２２１、２２３、２２４、２２５の中間下方に１つの挿入口２２２が設けられ、配置されている。図１のように、左上段の挿入口２２４はＳＤ又はＭＭＣカード５０４が挿入されるためのものであり、その下側の挿入口２２３はＲＳ又はＭＭＣカード５０３が挿入されるものであり、右上段の挿入口２２５はＭｅｍｏｒｙ−Ｓｔｉｃｋ  Ｄｕｏカード５０５が挿入されるものであり、その下側の挿入口２２１はＭｉｎｉ  ＳＤカード５０１が挿入されるものであり、中間下方の挿入口２２２はＴｒａｎｓｆｌａｓｈカード５０２が挿入される。
また、前記ハウジング１２には挿入される各カード５０に対応する複数種のコンタクト１４が装着される挿入溝２６が設けられており、圧入や引っ掛け（ランス）や溶着等によって固定されている。
【００１８】
前記ハウジング１２には前記ホルダー１８が固定される固定孔２４が設けられており、該固定孔２４の位置は下述するホルダー１８の役割やハウジング１２の強度やコネクタ１０の小型化等を考慮して適宜設計する。本実施例では、左右に略並行に配置された４つの挿入口２２１、２２３、２２４、２２５のほぼ中間部分（本カードコネクタ１０の長手方向のほぼ中央）に設けた。前記固定孔２４の大きさは前記ホルダー１８の保持力を考慮して設計する。
【００１９】
次に、本発明のポイントであるスライダー２０について説明する。
このスライダーは本実施例では電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。また、下述するような役割を満足できれば、金属であってもよく、その場合の材質はホルダーと同一のものを挙げることができる。
【００２０】
前記スライダー２０は略長方形をしており、幅方向のほぼ中央部には縦長の挿入孔２８が設けられている。その為、前記スライダー２０は縦（厚み）方向に本実施例では移動可能になっている。前記挿入孔２８は前記ホルダー１８が挿入されるものであり、前記スライダー２０が移動可能になっている。前記挿入孔２８の形状及び大きさは前記ホルダー１８が挿入でき、かつ、前記スライダー２０が移動可能であればよく、このような役割や強度等を考慮して適宜設計する。本実施例では、前記スライダー２より０．１〜０．３ｍｍ程度大きくしている。
前記挿入孔２８の周辺部分には、図２のように前記ホルダー１８の固定片３４が係合する係止部３３が設けられている。前記係止部３３は前記固定片３４が係合する部分で、その形状や大きさは、前記スライダー２０が移動可能で、前記固定片３４が突出しないように適宜設計している。
【００２１】
前記スライダー２０には、所要数の凹部３０及び凸部３２が設けられ、これらの凹部３０及び凸部３２の組み合わせによって前記ハウジング１２の挿入口２２の一部を形成するようにしている。つまり、本実施例では、４つの凹部３０と１つの凸部３２が設けられており、４つの凹部３０で上下及び左右に略並行に配置された４つの挿入口２２１、２２３、２２４、２２５の一部を形成し、１つの凸部３２で中間下方の挿入口２２２の一部を形成している。前記凹部３０及び前記凸部３２の大きさは、１つのメモリカード５０が挿入された場合で、かつ、前記スライダー２０が移動した場合に他の凹部３０及び凸部３２が挿入されていない挿入口２２内に一部が突出することで他のメモリカード５０が入らないように適宜設計する。
【００２２】
次に、本発明のもう１つのポイントであるホルダーについて説明する。このホルダーは本実施例では金属製であり、公知技術のプレス加工によって製作されている。前記ホルダーの材質としては、寸法安定性や成型性などが要求されるので、黄銅やベリリウム銅やリン青銅等を挙げることができる。また、下述するような役割を満足できれば、電気絶縁性のプラスチックであってもよく、その場合の材質はスライダーと同一のものを挙げることができる。
【００２３】
前記ホルダー１８は略板状をしており、前記ホルダー１８は前記ハウジング１２の固定孔２４に固定される固定部と前記スライダー２０を移動可能に固定し、かつ、前記スライダー２０に係合する固定片３４とを備えている。前記ホルダー１８は、圧入や引っ掛けによって、前記ハウジング１２に固定されている。
前記ホルダー１８の役割は、前記スライダー２０を移動可能に固定するためのものである。
【００２４】
前記スライダー２０を移動可能に固定するため、前記ホルダー１８の先端部には交互に３枚に分割された固定片３４が設けられている。該固定片３４が前記スライダー２０と係合することで、前記スライダー２０は前記ハウジング１２に移動可能に固定されることになる。前記固定片３４の形状や大きさ及び枚数は、前記スライダー２０の係合でき、かつ、前記スライダー２０が前記ハウジング１２に移動可能に固定されるように適宜設計する。本実施例では、移動の安定性を考えて、３枚に分割した。
【００２５】
次に、複数種のコンタクト１４について説明する。この複数種のコンタクト１４は金属製であり、公知技術のプレス加工によって製作されている。前記コンタクト１４の材質としては、バネ性や導電性などが要求されるので、黄銅やベリリウム銅やリン青銅等を挙げることができる。
【００２６】
複数種のコンタクト１４は、主に、メモリカード５０の接続部に接触する接触部と前記ハウジング１２に固定される固定部と基板に接続される接続部とを備えている。前記ハウジング１２の挿入口２２から考えると、本実施例の複数種のコンタクト１４としては、ＭｉｎｉＳＤカード用コンタクト１４１、Ｔｒａｎｓｆｌａｓｈカード用コンタクト１４２、ＲＳ又はＭＭＣカード用コンタクト１４３、ＳＤ又はＭＭＣカード用コンタクト１４４、Ｍｅｍｏｒｙ−Ｓｔｉｃｋ  Ｄｕｏカード用コンタクト１４５が所定の位置に固定されている。それぞれのコンタクト１４１、１４２、１４３、１４４、１４５の接続部は、基板の回路設計や占有面積やコネクタ１０の大きさ及び設計を考慮して適宜設計している。本実施例では、ＳＤ又はＭＭＣカード用コンタクト１４４とＭｅｍｏｒｙ−Ｓｔｉｃｋ  Ｄｕｏカード用コンタクト１４５の接続部は挿入口２２と反対側に配置され、ＭｉｎｉＳＤカード用コンタクト１４１とＴｒａｎｓｆｌａｓｈカード用コンタクト１４２とＲＳ又はＭＭＣカード用コンタクト１４３の接続部は挿入口２２側に配置されている。
また、それぞれのコンタクト１４１、１４２、１４３、１４４、１４５の接触部は、各々の挿入口２２内に突出し、挿入されたメモリカード５０を接触できるような構造になっている。前記接触部の位置は挿入されるメモリカード５０の接続部の位置を考慮して適宜設計され、突出量はメモリカード５０との接触圧を考慮して適宜設計している。
【００２７】
最後に、図４に基づいて、前記スライダー２０の作用について説明する。
まず、図４（Ａ）のように左上段の挿入口２２４にＳＤ又はＭＭＣカード５０４が挿入されると、左上段の挿入口２２４に対応する前記凹部３０にもＳＤ又はＭＭＣカード５０４が入り、前記スライダー２０が上側若しくは下側に移動し、他の凹部３０及び凸部３２は他の挿入口２２１、２２２、２２３、２２５内に突出することになる。
次に、図４（Ｂ）のように左上段の下側の挿入口２２３にＲＳ又はＭＭＣカード５０３が挿入されると、左上段の下側の挿入口２２３に対応する前記凹部３０にもＲＳ又はＭＭＣカード５０３が入り、前記スライダー２０が上側若しくは下側に移動し、他の凹部３０及び凸部３２は他の挿入口２２１、２２２、２２４、２２５内に突出することになる。
次に、図４（Ｃ）のように右上段の挿入口２２５にＭｅｍｏｒｙ−Ｓｔｉｃｋ  Ｄｕｏカード５０５が挿入されると、右上段の挿入口２２５に対応する前記凹部３０にもＭｅｍｏｒｙ−Ｓｔｉｃｋ  Ｄｕｏカード５０５が入り、前記スライダー２０が上側若しくは下側に移動し、他の凹部３０及び凸部３２は他の挿入口２２１、２２２、２２３、２２４内に突出することになる。
次に、図４（Ｄ）のように右上段の下側の挿入口２２１にＭｉｎｉ  ＳＤカード５０１が挿入されると、右上段の下側の挿入口２２１に対応する前記凹部３０にもＭｉｎｉ  ＳＤカード５０１が入り、前記スライダー２０が上側若しくは下側に移動し、他の凹部３０及び凸部３２は他の挿入口２２２、２２３、２２４、２２５内に突出することになる。
最後に、図４（Ｅ）のように中間下方の挿入口２２２はＴｒａｎｓｆｌａｓｈカード５０２が挿入されると、中間下方の挿入口２２２に挿入されたＴｒａｎｓｆｌａｓｈカード５０２で前記スライダー２０の前記凸部３２が上側に移動し、前記凹部３０は他の挿入口２２１、２２３、２２４、２２５内に突出することになる。
【００２８】
本実施例においては、前記ハウジング１２に５つの挿入口２２を設けたカードコネクタ１０について説明したが、挿入口２２が何個であってもよい。上述したスライダー２０とホルダー１８の構造を有するものを複数組み合わせることで、１枚のメモリカード５０しか挿入できないように適宜設計することが可能である。
【産業上の利用可能性】
【００２９】
本発明の活用例としては、、プリンター、カードリーダーなどの各種電子・電気機器に使用されるカードコネクタに活用され、特に１枚のメモリカードしか同時に挿入できない構造に関するものである。
【図面の簡単な説明】
【００３０】
【図１】嵌合側上方よりみた本発明のカードコネクタの斜視図である。
【図２】スライダーとホルダーの斜視図である。
【図３】本発明のカードコネクタの正面図である。
【図４】各々の挿入口にメモリカードを挿入した場合のスライダーの状態を説明する図３のＡ部拡大図である。
【符号の説明】
【００３１】
１０          コネクタ
１２          ハウジング
１４          コンタクト
１４１        Ｍｉｎｉ  ＳＤカード用コンタクト
１４２        Ｔｒａｎｓｆｌａｓｈカード用コンタクト
１４３        ＲＳ又はＭＭＣカード用コンタクト
１４４        ＳＤ又はＭＭＣカード用コンタクト
１４５        Ｍｅｍｏｒｙ−Ｓｔｉｃｋ  Ｄｕｏカード用コンタクト
１８          ホルダー
２０          スライダー
２２          挿入口
２２１        Ｍｉｎｉ  ＳＤカード用挿入口
２２２        Ｔｒａｎｓｆｌａｓｈカード用挿入口
２２３        ＲＳ又はＭＭＣカード用挿入口
２２４        ＳＤ又はＭＭＣカード用挿入口
２２５        Ｍｅｍｏｒｙ−Ｓｔｉｃｋ  Ｄｕｏカード用挿入口
２４          固定孔
２６          挿入溝
２８          挿入孔
３０          凹部
３２          凸部
３３          係止部
３４          固定片
５０          メモリカード
５０１        Ｍｉｎｉ  ＳＤカード
５０２        Ｔｒａｎｓｆｌａｓｈカード
５０３        ＲＳ又はＭＭＣカード
５０４        ＳＤ又はＭＭＣカード
５０５        Ｍｅｍｏｒｙ−Ｓｔｉｃｋ  Ｄｕｏカード
【図１】
2006120482.tif 000003
【図２】
2006120482.tif 000004
【図３】
2006120482.tif 000005
【図４】
2006120482.tif 000006